(57)【要約】【課題】  支障移転工事等の関係で電柱が移動又は無くなる箇所に対し、支持線の一部を留め代えるだけでケーブルの張替えを無くすと同時に、引き留め装置の使用を継続できるようにする。【解決手段】  剛性管１の両端に、端面同士を突き合わせるようにして剛性管１とは同一中心線に沿って、引き留め金具２，２がそれぞれ剛結合して設けられ、各各の引き留め金具２，２の貫通孔２２には貫通孔２２に口金２３より挿通された支持線ｃの引き留め部材（つめ２４）が設けられているている構成である。【選択図】  図２
2006296175.tif 000002
【特許請求の範囲】
【請求項１】
剛性管の両端に、端面同士を突き合わせるようにして該剛性管とは同一中心線に沿って、引き留め金具がそれぞれ剛結合して設けられ、各各の引き留め金具の貫通孔には該貫通孔に上記引き留め金具の口金より挿通された支持線の引き留め部材が設けられていることを特徴とする通信線用引き留め装置。
【請求項２】
引き留め部材は、貫通孔の少なくともほぼ先方半部を占める直円錐台状孔２２ａに内接し戻しばねに押圧されて摺動ができる、二つ割りのものを対向させた接合体の見掛け上の中心孔に設けられているつめである請求項１記載の通信線用引き留め装置。
【請求項３】
剛性管の周面上には、引き留め金具側から剛性管内に通されてきた支持線の操作用長孔が穿設されている請求項１、２記載の通信線用引き留め装置。
【請求項４】
剛性管と引き留め金具の端面突き合せ部に鍔が両端に設けられている連結金具を挿入して、該双方の鍔間に臨んだ剛性管と引き留め金具の部分が上記連結金具にかしめ着けされている請求項１、２，３記載の通信線用引き留め装置。
【発明の詳細な説明】
【技術分野】
【０００１】  本発明は、電話線等の屋外通信線を引き込む際に支持線の引き留めに用いる、通信線用引き留め装置に関する。
【背景技術】
【０００２】  本線より分岐した屋外通信線を引き込むには電柱等にＵ字状環を介して取付けられる引き留め金具が用いられており、その引き留め金具は屋外通信線の支持線（メッセンジャーワイヤー）を切断し、その支持線を挿入できる口金（パイプ）と、ばね作用下におかれて支持線に噛み合う後退阻止用のつめ（抜け止め用のつめ）が設けられている構造のものが従来より知られている。一方、屋外通信線に縦添えされた支持線は被覆されており、この支持線が上記口金から引き留め金具の金具本体内に挿入されると、支持線の被覆部分が金具本体内のつめに噛み合って引き留めが果たされる仕組になっている。なお、つめは、金具本体の直円錐台状の貫通孔に内接して摺動可能に設けられている、二つ割りのものが突き合わされた接合体の見掛け上の中心孔に形成されている。
【特許文献１】  意匠登録第７０８３９４号公報
【発明の開示】
【発明が解決しようとする課題】
【０００３】  上記従来の引き留め金具は電柱等の両側に位置してそれぞれ取付けられており、例えば、電柱の支障移転工事が発生すると、支持線が引き留め部分で切断されているため張替えによって新しいケーブルに切替える必要がある。この張替え作業によって通信線の利用者へ迷惑を掛ける場合があることは勿論、今まで引き込まれたいた使用に耐え得るケーブルも取替えられて非常に不経済になるという問題がある。また、被覆部分がつめに噛み合って引き留めが果たされている支持線が何らかの外力によって引っ張られるようになると、つめに噛み合っている被覆を残したまま支持線だけが引き留め金具より外されて、引き留めが解除されてしまうという不具合の起こることは避けられず、上記問題と相俟って改善策が要望されていた。【０００４】  本発明はこのような問題を解決したものであって、その目的は、電柱等の支障移転工事等の関係で電柱が移動又は無くなる箇所に対し、支持線の一部を留め代えるだけでケーブルの張替えを無くすと同時に、引き留め金具の使用を継続できるようにした新規な通信線用引き留め装置を提供することにある。また、他の目的は、支持線を上記引き留め装置に挿入する時に被覆の通過を口金部分で阻止し、支持線抜け止め用のつめに予め被覆が除去されている支持線の裸線部分が直接噛まれるようにして、支持線の引き留めが不当に解除されないようにした通信線用引き留め装置を提供することにある。
【課題を解決するための手段】
【０００５】  上記目的を達成するために、本発明の特徴とする通信線用引き留め装置は、剛性管の両端に、端面同士を突き合わせるようにして該剛性管とは同一中心線に沿って引き留め金具がそれぞれ剛結合して設けられ、各各の引き留め金具の貫通孔には該貫通孔に口金より挿通された支持線の引き留め部材が設けられている構成である。この構成によれば、本引き留め装置は通常は剛性管の中間部分を電柱に取付けて用いられるが、その後の電柱等の支障移転工事の状況によっては、電柱移転距離に見合う長さの繋ぎ線と移転先の電柱に取付けられる引き留め装置の使用によって、撤去される電柱側から取外された引き留め装置は継続して使用できる。【０００６】  剛性管の周面上には、引き留め金具側から剛性管内に通されてきた支持線の操作用長孔が穿設されており、この操作用長孔は相対向した一対のものが左右２箇所に穿設されているのが好ましい。また、支持線の引き留め部材は、貫通孔の少なくともほぼ先方半部を占める直円錐台状孔に内接し戻しばねに押圧されて摺動ができる、二つ割りのものを対向させて形成した接合体の見掛け上の中心孔に設けられているつめを用いることができ、支持線をつめに噛み合わせて引き留める。【０００７】  更にまた、剛性管と引き留め金具の剛結合は、該両部材の端面突き合せ部に鍔が両端に設けられている連結金具を挿入して、該双方の鍔間に臨んだ剛性管と引き留め金具の部分を連結金具にかしめ着けして果たされる。なお、引き留め部材は、本発明の目的から逸脱しない限り、他の構成のものも使用できることは勿論である。一方、支持線の被覆通過を口金部分で阻止して支持線の裸線部分をつめに噛ませるには、口金に被覆が受け止められる口径の縮小部を設ければよい。
【発明の効果】
【０００８】  支持線の引き留めに際し、剛性管の両端にそれぞれ剛結合している引き留め金具に切断した支持線の両端部分をそれぞれ引き留めるように構成したので、電柱等の支障移転工事の関係で電柱が移動又は無くなる箇所に対し、移動側の支持線を留め代えるだけでケーブルの張替えという不経済を解消できると同時に、一方の支持線は本引き留め装置に引き留めたままの状態で支障移転工事に対応できる使用上の効果がある。また、引き留め金具のつめに支持線の裸線部分が直接噛み合うようににすれば、支持線の引き留め状態は安定して、支持線の引き抜きは阻止できる。
【発明を実施するための最良の形態】
【０００９】  以下に、本発明を実施するための形態を図面を参照して説明する。図１〜図４において、１は金属製の剛性管（長さは１９０乃至５２０ｍｍ程度）、２は引き留め金具（長さは５５ｍｍ程度）、３は剛性管１の両端に引き留め金具２、２をそれぞれ剛連結させている連結金具（長さは３０ｍｍ程度）である。連結金具３は両端に鍔３１が設けられている円筒状のものであって、その各半部側が剛性管１と引き留め金具２の端面突き合わせ部に挿入されており、双方の鍔３１，３１間に臨んでいる剛性管１と引き留め金具２の部分を連結金具３にかしめることで、剛性管１と両引き留め金具２，２は同一中心線に沿って端面同士を突き合わせた状態の剛結合が果たされる。１１，２１はかしめ部を示す。【００１０】  この剛結合は、六角形状（図３を参照）にかしめることが連結を強固にする（圧着箇所が６箇所となる）点で好ましく、場合によってはねじ結合による方法も採用できる。鍔３１はかしめにより生じた肩部に圧着しており、剛性管１と引き留め金具２及び連結金具３の結合状態を更に確実なものとしている。なお、剛性管１の周面上の両端側には、後述するように双方の引き留め金具２，２側から剛性管１内に通されてきた支持線に折り曲げ部を形成する操作部となる、操作用長孔１２，１２が相対向してそれぞれ一対穿設されている。【００１１】  また、引き留め金具２には、少なくともほぼ先方半部側が直円錐台状孔２２ａに形成されている貫通孔２２が穿設されており、その貫通孔２２には引き留め金具２の先端部に摺動可能に装着されている口金（長さは２０ｍｍ程度）２３から差し込まれた支持線ｃの引き留め部材であるつめ２４が設けられている。このつめ２４は、直円錐台状孔２２ａに内接して摺動可能である、接合体２５の見掛け上の中心孔２５ａのほぼ全域にわたって設けられており、その中心孔２５ａの口径は接合体２５の摺動により変動して、つめ２４に支持線ｃの被覆されたもの或いは裸線を噛ませることができる。【００１２】  接合体２５は、直円錐台状孔２２ａに対応した形状のものを二つ割りして、これを対向させて形成されており、口金２３側へ向かって常時戻しばね２６の押圧作用を受けている。戻しばね２６は連結金具３の鍔３１と接合体２５の後面側に当接している当接金具２７の間に設けられている。当接金具２７は二つ割りされた接合体２５を正しく組込む規正部材として機能している。なお、一方の鍔３１と当接金具２７には戻しばね２６の位置決め用である短筒部３１ａ，２７ａが突設されている。なお、口金２３の内端側の口縁２３ａは直円錐台状孔の内面に接合するように若干外方へ湾曲している。【００１３】  以上の構成に係る本発明によれば、電柱等に本引き留め装置（構成部材は全て金属である）を剛性管１の部分で取付けた後、切断された支持線ｃを引き留め金具２に口金２３，２３を通してそれぞれ挿通すると、支持線ｃは中心孔２５ａに設けられているつめ２４に噛まれて引き留められ、その状態で支持線ｃを引き抜くことはできなくなる。この引き留めを解除して支持線ｃを引き抜くには、戻しばね２６に抗し口金２３を押圧して、接合体２５を後退させて中心孔２５ａを拡げればよく、また、引き留め金具２側から剛性管１内��挿通されてきた支持線ｃは、必要に応じて操作用長孔１２の部分でペンチ等を用いて折り曲げ、剛性管１の部分に掛け止めて置くことができる。【００１４】  また、電柱等の支障移転工事に際しては、移転先に立てられた電柱に他の本引き留め装置を取付け、撤去される電柱側の引き留め装置の先方側の引き留め金具２に引き留められている支持線を口金２３の押圧操作によりつめから解放して引き抜き、その支持線を移転先の電柱に予め取付けられている引き留め装置の手前側の引き留め金具２に引き留め、その引き留め装置の先方側の引き留め金具２に電柱の移転距離に見合う長さの繋ぎ線の一端を引き留める。次いで、繋ぎ線の他端を撤去される電柱側の引き留め装置の引き留め金具２に引き留めれば、ケーブルの張替えが不要になることは勿論、撤去される電柱から取外された引き留め装置もそのまま継続して使用できる。【００１５】  次に、被覆の通過を阻止できる口金２３について説明する。図５に示すように、短筒状である口径の縮小部２３１が口金２３の内端寄りに設けられており、口径の縮小部２３１には底部２３２に支持線の被覆通過を阻止できる口径の窓孔２３３が穿設されている。この口径の縮小部２３１は口金２３に圧入等して設けられており、図示の場合はプレス加工によって口金２３とは別個に形成されていいるが、これはダイカスト加工によりは口金２３と一体成形も可能である。図中、ｃは被覆、ｗは支持線の裸線部分である。
【図面の簡単な説明】
【００１６】
【図１】  本発明の実施の形態を一部省略して示す平面図である。
【図２】  図１のＡ−Ａ線断面図である。
【図３】  図１のＢ−Ｂ線端面図である。
【図４】  図２の要部拡大図である
【図５】  図２に示す口金の変形を示す拡大断面図である。
【符号の説明】
【００１７】  １は剛性管
２は引き留め金具
３は連結金具
１１、２１はかしめ部
１２は操作用長孔
２２は貫通孔
２２ａは直円錐台状孔
２３は口金
２４はつめ
２５は接合体
２５ａは中心孔
２６は戻しばね
２７は当接金具
３１は鍔
【図１】
2006296175.tif 000003
【図２】
2006296175.tif 000004
【図３】
2006296175.tif 000005
【図４】
2006296175.tif 000006
【図５】
2006296175.tif 000007